(57)【要約】【課題】撮像フレームレートを容易に変更できるようにする。【解決手段】被写体像を撮像する撮像部と、撮像部の撮像フレームレートを変更可能なモードへの切り換え指示及びフレームレートの選択指示を行う操作子１４３とを備えた。そして、操作子１４３に対する操作入力によって撮像フレームレートの選択指示がされた場合に、選択された撮像フレームレートで撮像部に撮像を行わせる制御部とを備えた。【選択図】図１
2008301451.tif 000002
【特許請求の範囲】
【請求項１】
被写体像を撮像する撮像部と、
前記撮像部の撮像フレームレートを変更可能なモードへの切り換え指示及び前記撮像フレームレートの選択指示を行うための操作子と、
前記操作子への操作入力により前記撮像フレームレートの選択指示が行われた場合に、選択された撮像フレームレートで前記撮像部に撮像を行わせる制御部とを備えたことを特徴とする
撮像装置。
【請求項２】
請求項１記載の撮像装置において、
前記操作子は回動操作可能に形成してあり、前記操作子の回動方向は、前記撮像フレームレートの増減と対応していることを特徴とする
撮像装置。
【請求項３】
請求項１記載の撮像装置において、
前記操作子は押下操作可能に形成してあり、前記操作子の押下により、前記撮像フレームレートを変更可能なモードへの切り換え指示と撮像フレームレートを変更可能なモードの解除指示が切り替わることを特徴とする
撮像装置。
【請求項４】
請求項１記載の撮像装置において、
前記操作子の操作内容に応じて発光する発光部を備え、
前記制御部は、前記操作子への操作入力により前記撮像フレームレートを変更可能なモードへの切り換え指示が行われた場合に前記発光部を発光させる制御を行うことを特徴とする
撮像装置。
【請求項５】
請求項４記載の撮像装置において、
前記制御部は、前記撮像フレームレートを変更可能なモードへの切り換えが行われてから、前記撮像フレームレートを変更可能なモードの解除が指示されるまでの間、前記発光部を点灯させる制御を行うことを特徴とする
撮像装置。
【請求項６】
請求項４記載の撮像装置において、
前記発光部は、当該撮像装置における前記操作子の周辺部に配置されたことを特徴とする
撮像装置。
【請求項７】
請求項４記載の撮像装置において、
前記発光部は複数の色の光源を備えた発光体で構成され、
前記制御部は、前記操作子で選択された撮像フレームレートの値に応じて、前記発光部を異なる色に発光させる制御を行うことを特徴とする
撮像装置。
【請求項８】
請求項４記載の撮像装置において、
前記発光部は、前記操作子の周囲に複数の発光体が配置されてなり、
前記制御部は、前記操作子の回動方向又は回動量によって指示される撮像フレームレートに応じて、発光させる前記発光体を変える制御を行うことを特徴とする
撮像装置。
【発明の詳細な説明】
【技術分野】
【０００１】
本発明は、例えばビデオカメラに適用して好適な撮像装置に関し、特に再生フレームレートと異なるレートで撮像を行える撮像装置に関する。
【背景技術】
【０００２】
従来、映画製作やテレビジョン放送のプログラム製作等では、効果的なシーンを演出するため、撮像装置の撮像フレームレートを、再生フレームレートとは異なるレートに設定して撮像することが行われている。撮像フレームレートを再生フレームレートよりも大きくして撮像及び記録を行い、再生は通常速度で行うと、再生画像はスロー再生画像となる。例えば、再生フレームレートが２４ｆｐｓ（frame per second）である場合に６０ｆｐｓで撮像及び記録を行うと、記録されたデータを再生する際には、撮像時と比べて２．５倍の時間がかかることになる。つまり、再生画像において１／２．５倍の遅回し効果を得ることができる。
【０００３】
また、撮像フレームレートを再生フレームレートよりも小さくして撮像を行い、再生は通常速度で行うと、再生画像は高速再生画像となる。例えば、再生フレームレートが２４ｆｐｓである場合に４ｆｐｓで撮像及び記録を行うと、記録されたデータを再生する際には、撮像時の１／６の時間で行えることになる。つまり、再生画像において６倍の早回し効果を得ることができる。
【０００４】
このような撮像フレームレートの変更を容易に行えるように、予め撮像フレームレートのパターンを幾つか撮像装置に設定しておき、撮像時等の必要なタイミングでその設定を読み出して適用させる手法なども考案されている。
【０００５】
特許文献１には、予め登録しておいた撮像フレームレートを、操作スイッチの操作に応じて順番に読み出し、撮像フレームレートとして反映させることが開示されている。
【特許文献１】特開２００５−１３６７５４号公報
【発明の開示】
【発明が解決しようとする課題】
【０００６】
ところが、撮像フレームレートを撮像装置に登録する作業は、メニュー画面の立ち上げからメニュー項目の選択、撮像フレームレートの値の設定といったように多くのステップを要する。
【０００７】
図６のフローチャート及び図７のメニュー画面の例を参照して、従来の撮像フレームレート変更処理の例について説明する。図６及び図７に示した例では、撮像フレームレートの変更はメニュー画面上の表示を確認しながら行うものとしてある。また、メニュー画面の立ち上げ及び消去は、“ＯＮ”と“ＯＦＦ”の２つの状態を切り換え可能なメニュースイッチを用いて行うものとし、メニュー画面上でのメニュー項目の選択及び確定は、メニューつまみを用いて行うものとする。メニューつまみは、回転方向の操作及び、押下方向の操作を行えるようにしてある。
【０００８】
また、図６及び図７に示した例では、撮像フレームレート変更の機能を“ＳＬＯＷ＆ＱＵＩＣＫ”機能と称しており、“ＳＬＯＷ＆ＱＵＩＣＫ”のメニュー項目は、トップメニュー上に表示された “ＯＰＥＲＡＴＩＯＮ”の下の階層の“ＳＰＥＣＩＡＬ ＥＦＦＥＣＴＳ”の、下の階層にあるものとする。
【０００９】
図６において、まず、撮像装置に設けられたメニュースイッチを“ＯＮ”に切り替えて、メニュー画面を表示すると（ステップＳ１１）、液晶モニタ等で構成された表示部上やビューファインダ上に、図７（ａ）に示したようなメニュー画面ＭＮ１０が表示される。
【００１０】
メニュー画面ＭＮ１０上には、メニュー項目が表示されており、メニュー項目の左側にはカーソルＣＳ１０が配置されている。このカーソルを、メニューつまみを回転させて上下方向に移動させることにより、所望のメニュー項目を選択することができるようになっている。
【００１１】
図６のステップＳ１１でメニュー画面ＭＮ１０を表示させた後は、メニューつまみを回転させてカーソルＣＳ１０をメニュー画面ＭＮ１０の下方向に移動させ、“ＯＰＥＲＡＴＩＯＮ”を選択する（ステップＳ１２）。
【００１２】
そして、選択されたメニュー項目である“ＯＰＥＲＡＴＩＯＮ”を確定させるため、メニューつまみを押下する（ステップＳ１３）。“ＯＰＥＲＡＴＩＯＮ”の選択が確定されると、メニュー画面は図７（ｂ）に示されたもののようになる。“ＳＬＯＷ＆ＱＵＩＣＫ”のメニュー項目は、図７（ｂ）に示された“ＯＰＥＲＡＴＩＯＮ”のメニュー項目の中の“ＳＰＥＣＩＡＬ ＥＦＦＥＣＴＳ”の下にあるため、メニューつまみを回転させて、カーソルＣＳ１０を“０２．ＳＰＥＣＩＡＬ ＥＦＦＥＣＴＳ”に合わせる操作を行う（図６のステップＳ１４）。
【００１３】
“ＳＰＥＣＩＡＬ ＥＦＦＥＣＴＳ”が選択された後は、選択を確定させてその傘下のメニュー項目を表示させるため、メニューつまみを押下する（ステップＳ１５）。この操作を行うことで、メニュー画面ＭＮ１０は図７（ｃ）に示されたもののようになる。図７（ｃ）には“ＳＰＥＣＩＡＬ ＥＦＦＥＣＴＳ”を構成するメニュー項目が表示されており、一番上段に示された“ＳＬＯＷ＆ＱＵＩＣＫ”を“ＯＮ”に設定し、その下の段に示された“ＦＲＡＭＥ ＲＡＴＥ”の項目で、撮像フレームレートを所望のレートに変更することで、撮影フレームレートを変更することが可能となる。
【００１４】
図６に戻って説明を続けると、ステップＳ１５で“ＳＰＥＣＩＡＬ ＥＦＦＥＣＴＳ”のメニューが表示された後は、メニューつまみを回転させて、カーソルＣＳ１０を“ＳＬＯＷ＆ＱＵＩＣＫ”の位置に合わせる操作を行う（ステップＳ１６）。そして、メニューつまみを押下することで“ＳＬＯＷ＆ＱＵＩＣＫ”のメニュー選択を確定させ（ステップＳ１７）る。図７（ｃ）に示されたように、既に“ＳＬＯＷ＆ＱＵＩＣＫ”の位置にカーソルＣＳ１０が合っている場合には、ステップＳ１６の操作は不要となる。
【００１５】
“ＳＬＯＷ＆ＱＵＩＣＫ”の項目が確定されると、図７（ｃ）に示した“ＳＬＯＷ＆ＱＵＩＣＫ”の右側に示された表示を、“ＯＮ”又は“ＯＦＦ”に切り替えることができるようになる。図７（ｃ）に示した例では既に“ＯＮ”が選択されているが、“ＯＦＦ”が表示されている場合には、メニューつまみを回転させて“ＯＮ”の表示に切り替える操作が必要となる。
【００１６】
図６に移り、メニューつまみを回転させて“ＳＬＯＷ＆ＱＵＩＣＫ”メニューを“ＯＮ”に切り替えた後は（ステップＳ１８）、メニューつまみを押下して“ＯＮ”の選択を確定させる（ステップＳ１９）。そして次に、撮像フレームレートを設定するために、メニューつまみを回して“ＦＲＡＭＥ ＲＡＴＥ”項目を選択し（ステップＳ２０）、メニューつまみを押下して“ＦＲＡＭＥ ＲＡＴＥ”の選択を確定する（ステップＳ２１）。
【００１７】
“ＦＲＡＭＥ ＲＡＴＥ”の選択が確定されると、図７（ｃ）に示した“ＦＲＡＭＥ ＲＡＴＥ”の右側に示された数値を、メニューつまみの操作により増減させることができるようになる。図７（ｃ）では“３０Ｐ”と表示されているが、この数値は、メニューつまみを回転させることで、４Ｐから６０Ｐ（ＰはProgressiveを示す）、つまり４ｆｐｓから６０ｆｐｓまでの間を１フレーム単位で変更することができる。
【００１８】
図６に戻り、ステップＳ２２で、メニューつまみを回転させて所望のフレームレートを選択した後は、メニューつまみを押下して、選択したフレームレートを確定させる操作を行う（ステップＳ２３）。例えば、図７（ｄ）に示されたように、“ＦＲＡＭＥ ＲＡＴＥ”が５Ｐと表示されている状態でメニューつまみが押下されると、撮像フレームレートが５Ｐに設定される。そして最後に、メニュースイッチを“ＯＦＦ”に切り替えて、メニュー画面の表示を消す（図６のステップＳ２４）。
【００１９】
このように、撮像フレームレートの値を設定するためには、種類の異なる操作子を使って様々なメニュー項目を切り換える作業が必要となり、非常に手間がかかるという問題があった。
【００２０】
本発明はかかる点に鑑みてなされたものであり、撮像フレームレートを容易に変更できるようにすることを目的とする。
【課題を解決するための手段】
【００２１】
本発明は、被写体像を撮像する撮像部と、撮像部の撮像フレームレートを変更可能なモードへの切り換え指示及びフレームレートの選択指示を行う操作子と、操作子の操作内容に応じて発光する発光部（発光部）とを備えた。そして、撮像フレームレートを変更可能なモードへの切り換え指示が入力された場合に発光部を発光させ、操作子で撮像フレームレートが選択された場合に、選択された撮像フレームレートで撮像部に撮像を行わせる制御部とを備えた。
【００２２】
このようにしたことで、撮影フレームレートを変更可能な状態への切り換え及び撮像フレームレートの変更を、１つの操作子を操作するだけで行えるようになる。
【発明の効果】
【００２３】
本発明によると、１つの操作子を操作するだけで撮影フレームレートを変更可能な状態への切り換え及び撮像フレームレートの変更を行えるため、容易に所望の撮像フレームレートで撮影できるようになる。つまり、撮影画像の再生時に早回しや遅回しの特殊効果を容易に得ることができる。
【発明を実施するための最良の形態】
【００２４】
以下、本発明の一実施の形態を、図１〜図６を参照して説明する。
【００２５】
まず、本例の撮像装置１００の外観の構成例について、図１の斜視図を参照して説明する。図１に示す撮像装置１００において、撮像部等が収納された筐体１２０の前面にレンズ部１０２を装着してあり、レンズ部１０２の入射面には、レンズ部１０２に入射する不要光を遮断するレンズフード１０１を装着してある。
【００２６】
筐体１２０の上部には、レンズ部１０２における光軸方向と平行に、ハンドル１３０を設けてある。
【００２７】
ハンドル１３０の前方（入射光側）には、撮影の構図決定や焦点合わせ等を行うためのビューファインダ１０９を取り付けてあり、ビューファインダ１０９の先端部分には、アイカップ１０９ａを装着してある。ビューファインダ１０９内には、画面サイズが１インチ程度の小型の表示部が配置してあり、撮影者はアイカップ１０９ａに目を直接近づけて、表示を確認する。ハンドル１３０の前方には、マイクロフォン１０８も配置してある。
【００２８】
撮像装置１００を後方から見た場合の筐体１２０の左側の面には、表示部１１０を設けてある。図１においては表示部１１０が閉じている様子を示してあり、表示部１１０の表示面が、筐体１２０の側面に接面した状態で収納された様子が示されている。表示部１１０の下には、メニュースイッチ１４１やメニューつまみ１４２等で構成される操作部１４０を設けてある。メニュースイッチ１４１及びメニューつまみ１４２は、従来の撮像装置の構成で説明したものと同様の構成としてある。操作部１４０には、再生操作ボタンや、記録の開始及び停止を指示する録画ボタン１４４等もあり、録画ボタン１４４は、筐体１２０の、レンズ部１０２が取り付けられた面の下方に設けてある。表示部１１０の左上側には、撮像部での撮像フレームレートを変更するための撮像フレームレート変更つまみ１４３及び、その外周を囲む位置に配置されたインジケータ１４３ｂを設けてある。撮像フレームレート変更つまみ１４３及びインジケータ１４３ｂの配置位置は、撮像装置１００を図示せぬ三脚に固定した状態で操作しやすい位置としてある。
【００２９】
次に、図２を参照して、本例の撮像フレームレートを変更するための操作子の一例である、撮像フレームレート変更つまみ１４３の構成例について説明する。図２は、撮像フレームレート変更つまみ１４３を上から見た上面図である。撮像フレームレート変更つまみ１４３は、円柱状のつまみ部１４３ａと、つまみ部１４３ａを囲むようにしてその外周に設けられたインジケータ１４３ｂとで構成される。つまみ部１４３ａは、筐体１２０の面に対して垂直に設けられた回転軸（図示略）を有し、この回転軸を中心に、図中にＡ１の矢印で示した左右の方向に回動可能に構成してある。筐体１２０上の、撮像フレームレート変更つまみ１４３が設けられた面には、図示されているように“ＦＲＡＭＥ”及び“＋”、“−”の表記があり、つまみ部１４３ａを“＋”と表示された方向（右）に回転させると、撮像フレームレートを大きくでき、“−”と示された方向（左）に回転させると、撮像フレームレートを小さくできるようにしてある。つまみ部１４３ａは、図中にｚとして示した方向にも押し込める形状としてある。本例では、つまみ部１４３ａを押し込む操作により、撮像フレームレート変更を行えるモードの起動や、選択された撮像フレームレートの確定、撮像フレームレート変更の解除等を行うことができるようにしてある。
【００３０】
インジケータ１４３ｂは、つまみ部１４３ａが押下されて撮像フレームレート変更のモードが起動すると、それに伴い点灯するようにしてある。そして、つまみ部１４３ａが再び押下されて撮像フレームレート変更モードが解除されると、消灯するようにしてある。
【００３１】
次に、図３のブロック図を参照して、撮像装置１００の内部構成例について説明する。図３に示す撮像装置１００は、レンズ１０２ａを含むレンズ群で構成されるレンズ部１０２と、レンズ部１０２を通して結像された被写体光を光電変換し、映像信号として出力する撮像部１０３を備える。撮像部１０３は、入力されたアナログの映像信号をデジタルの映像信号に変換する図示せぬアナログ・デジタル変換器（以降、Ａ／Ｄ変換器と称する）を備えており、その後段には、Ａ／Ｄ変換器から出力されたデジタル映像信号に対してデジタル信号処理を行う、信号処理部１０４を接続してある。
【００３２】
信号処理部１０４では、ある輝度レベル以上の映像信号を圧縮するニー補正や、映像信号のレベルを予め設定されたγカーブに従って補正するγ補正、映像信号の信号レベルが所定範囲となるように制限するホワイトクリップ処理やブラッククリップ処理等を行う。
【００３３】
撮像部１０３による撮像や、信号処理部１０４での処理は、制御部１５０の制御に基づいて行われる。制御部１５０は、ＣＰＵ（Central Processing Unit）等で構成される中央制御装置であり、撮像部１０３や信号処理部１０４の他にも、制御ライン１を介して接続された撮像装置１００の各部に対する制御を行う。制御部１５０にはメモリ１５１を接続してあり、メモリ１５１には撮像装置１００の動作に必要なプログラムや、各種設定値を記憶させてある。制御部１５０は、制御処理に伴い発生するデータを一時的にメモリ１５１に記憶させる他、メモリ１５１に記憶された設定値等を読み出して撮像装置１００の各部の制御を行う。
【００３４】
制御部１５０が参照する設定値は、制御部１５０に接続された操作部１４０への操作入力に基づいて設定される。操作部１４０は、メニュー画面表示のオン・オフを指示するメニュースイッチや、メニュー画面上に表示されたメニュー項目の選択を行うためのメニューつまみ（いずれも図１では図示略）、撮像フレームレートの変更を行うための撮像フレームレート変更つまみ１４３（操作子）等で構成してある。撮像フレームレート変更つまみ１４３は、撮像部１０３における撮像フレームレートを設定するための操作子であり、詳細については後述する。また、本例の撮像装置１００は、撮像フレームレート変更つまみ１４３への操作によって、撮像フレームレート変更モード（撮像フレームレートを変更可能な状態）に入った場合に、その状況を撮影者に知らせるためのインジケータ１４３ｂ（発光部）を備える。インジケータ１４３ｂは、例えばＬＥＤ（Light Emitting Diode）等の発光体で構成してあり、撮像フレームレート変更つまみ１４３への操作に応じて供給される、制御部１５０からの指令に基づいて発光する。
【００３５】
信号処理部１０４でデジタル信号処理された映像信号は、撮像装置１００の各部間で行われるデータのやりとりの仲介を行う、インターフェース部１０５に伝送される。インターフェース部１０５には、音声の符号化又は復号化処理を行う音声処理部１０６と、撮影の構図決定や焦点合わせ等を行うためのビューファインダ１０９と、撮像部１０３によって撮影中の映像又は、後述する外部記録媒体に記録された映像の再生映像を表示する表示部１１０と、映像信号の圧縮又は伸張を行う圧縮伸張処理部１１１を接続してある。また、圧縮伸張処理部１１１には外部記録媒体インターフェース部１１２（以下、インターフェースはＩ／Ｆとも称する）を接続してあり、外部記録媒体Ｉ／Ｆ部１１２を介して外部記録媒体１１３が接続されている。
【００３６】
音声処理部１０６には、外部の音声を拾って音声信号として出力するマイクロフォン１０８と、後述する外部記憶媒体に記憶された音声信号を音声として出力するスピーカ１０７とを接続してある。
【００３７】
ビューファインダ１０９及び表示部１１０は、例えば液晶パネル等で構成され、撮影された映像のほかにも、各クリップの画像を縮小して生成したサムネイル画像の一覧表示や、映像の属性情報であるメタデータ等の表示も行う。
【００３８】
圧縮伸張処理部１１１では、撮像部１０３で撮像された映像信号を、例えばＭＰＥＧ（Moving Picture Experts Group）形式等の規格に基づいて圧縮する処理を行う。圧縮伸張処理部１１１で圧縮されたデータは、外部記録媒体Ｉ／Ｆ部１１２を介して外部記録媒体１１３に伝送され、外部記録媒体１１３に記録される。圧縮伸張処理部１１１では、外部記録媒体１１３に記録された圧縮映像データを伸張する処理も行い、伸張した映像データを、インターフェース部１０５に伝送する。
【００３９】
上述のように構成される撮像装置１００において、レンズ部１０２を介して入射した被写体光が撮像部１０３で光電変換されて映像信号とされる。このときの撮像部１０３での撮像は、撮像フレームレート変更つまみ１４３の操作によって変更されてメモリ１５１に記憶された、撮像フレームレート設定値に基づいて行われる。撮像フレームレートとして例えば５Ｐ（５ｆｐｓ）が設定されている場合には、撮像部１０３は、１秒間に５フレームのフレームレートで撮像を行う。
【００４０】
撮像部１０３から出力された映像信号は、図示せぬＡ／Ｄ変換器によってデジタル信号に変換される。Ａ／Ｄ変換器から出力されたデジタル信号は、信号処理部１０４に供給され、信号処理部１０４でデジタル信号処理が行われる。信号処理部１０４で信号処理された映像信号は、インターフェース部１０５に供給され、ビューファインダ１０９又は表示部１１０に画像として表示される。もしくは、圧縮伸張処理部１１１で圧縮処理を行われた後に、外部記録媒体Ｉ／Ｆ部１１２を介して外部記録媒体１１３に記録される。このときの記録は、撮像フレームレートと同一のレートで行われる。
【００４１】
操作部１４０への操作入力によって、外部記録媒体１１３に記録された画像の再生が指示されると、制御部１５０の制御に基づいて外部記録媒体１１３内の画像が読み出され、インターフェース部１０５を介してビューファインダ１０９又は表示部１１０に表示される。このとき、再生フレームレートとして例えば３０ｆｐｓが設定されている場合には、撮像フレームレートがどのような値であるかに係わらず、ビューファインダ１０９や表示部１１０上には、３０ｆｐｓで映像が再生されるようになる。
【００４２】
次に、撮像フレームレート変更つまみ１４３による撮像フレームレート変更処理の例について、図４のフローチャート及び図５のメニュー画面の表示例を参照して説明する。図５に示したメニュー画面を構成するメニュー項目やその機能は、図７に示したものと同一であるものとする。
【００４３】
図４において、まず、撮像フレームレート変更つまみ１４３のつまみ部１４３ａを押下すると（ステップＳ１）、ビューファインダ１０９や表示部１１０上に、図５（ａ）に示したような表示ＤＰ１が表示される。表示ＤＰ１は、撮像フレームレート変更モードに切り替わったことを意味する“Ｓ＆Ｑ Ｍｏｔｉｏｎ”の表記と、その下段の撮像フレームレートと再生フレームレートの表記で構成される。スラッシュを挟んで左側が撮像フレームレートＦＲ１を示し、右側が再生フレームレートＦＲ２を示している。表示ＤＰ１が表示された状態においては、既に“ＳＬＯＷ＆ＱＵＩＣＫ”機能は“ＯＮ”とされており、撮像フレームレートを変更できる状態になっている。つまり、従来の処理例として図６に示したフローチャートでいえば、ステップＳ１１からステップＳ２１までの処理が既に行われたことになる。撮像フレームレートの値は、撮像フレームレート変更つまみ１４３のつまみ部１４３ａを図２に示した“＋”方向又は“−”方向に回動させることで、１フレーム単位で変更することができる。
【００４４】
次に、撮像フレームレート変更つまみ１４３を“＋”方向又は“−”方向に回転させて、例えば図５（ｂ）に示したように５ｆｐｓを選択した後は（ステップＳ２）、撮像フレームレート変更つまみ１４３のつまみ部１４３ａを押下して、選択された撮像フレームレートを確定する（ステップＳ３）。表示ＤＰ１は、撮像フレームレート変更つまみ１４３に対する操作が所定の期間無かった場合には、自動的に消えるようにしてある。所定の期間とは、例えば３秒等、任意の時間に設定が可能であるものとする。または、表示ＤＰ１を常に表示させる設定としておけば、撮像フレームレート変更つまみ１４３への操作が無い場合であっても、表示ＤＰ１を画面上に常に表示させておくことができる。この状態で撮影を開始するには、録画ボタン１４４を押下すればよい。
【００４５】
また、撮像フレームレートを通常のフレームレートに戻したい場合には、再度撮像フレームレート変更つまみ１４３を押下すれば、通常の撮像フレームレートに戻るようにしてある。そして、撮像フレームレート変更つまみ１４３が押下されて、撮像フレームレート変更のモードに入ってから、再度撮像フレームレート変更つまみ１４３が押下されてその状態が解除されるまでの間、インジケータ１４３ｂは点灯し続けるようにしてある。
【００４６】
このように、撮像フレームレートを変更するための専用のつまみである、撮像フレームレート変更つまみ１４３を設け、撮像フレームレート変更つまみ１４３を押下・回転させることにより、所望の撮像フレームレートを設定できるようにしたため、撮影画像に特殊効果を持たせたい場合に、容易に撮像フレームレートを変更できるようになる。
【００４７】
そして、このように容易に撮像フレームレートを変更できるようになるため、遅回しや早回し効果等が付加されたコンテンツを、容易に作成できるようになる。
【００４８】
また、撮像フレームレートを変更するモードに入っている状態においては、インジケータ１４３ｂを常に点灯させるようにしたため、撮影者は、撮像フレームレートを変更可能なモードに入っていることを容易に視認できる。そのため、通常の撮像フレームレートで撮影したい場合に、誤って撮像フレームレートを変更したままで撮影してしまったり、特殊効果を持たせたい場合に、通常の撮像フレームレートで撮像してしまったりする誤操作を防ぐことができる。
【００４９】
なお、ここまで説明した実施の形態では、撮像フレームレート変更つまみ１４３の設置された面に“＋”及び“−”の表示を行って、撮像フレームレート変更つまみ１４３の回転方向とフレームレートの増減との関連を分かりやすくしているが、撮像フレームレート変更つまみ１４３上に目盛りを設けて、撮像フレームレートの値と撮像フレームレート変更つまみ１４３の回転とを対応づけるようにしてもよい。
【００５０】
また、上述した実施の形態では、撮像フレームレート変更つまみ１４３の形状を円柱状の形状であり、筐体１２０の面に対して垂直に設けられた回転軸を中心に左右の方向に回動可能な形状として説明したが、筐体１２０の面と平行に設けられた回転軸を中心に回動可能であり、回転軸に対して垂直に力を加えて押し込み操作を行える構成とした操作子等に適用するようにしてもよい。
【００５１】
また、上述した実施の形態では、インジケータ１４３ｂの動作を、点灯または消灯の２パターンとした例を挙げたが、複数の光源を用いて、設定された撮像フレームレートの値に応じて異なる色の光を点灯させるようにしてもよい。
【００５２】
また、インジケータ１４３ｂを複数の発光体で構成するようにし、撮像フレームレート変更つまみ１４３の操作中には、インジケータ１４３ｂ全体を点灯させるのではなく、撮像フレームレート変更つまみ１４３の回動方向又は、回動量により選択された撮像フレームレートの値に対応させて、発光体の点灯箇所を移動させるようにしてもよい。
【００５３】
また、上述した実施の形態では、インジケータ１４３ｂを、撮像フレームレート変更つまみ１４３の外周を囲む円形の形状としたが、撮像フレームレート変更つまみ１４３とは独立させて、撮像装置１００の他の場所に設けるようにしてもよい。
【図面の簡単な説明】
【００５４】
【図１】本発明の一実施の形態による撮像装置の構成例を示す斜視図である。
【図２】本発明の一実施の形態による撮像フレームレート変更つまみの構成例を示す上面図である。
【図３】本発明の一実施の形態による撮像装置の内部構成例を示すブロック図である。
【図４】本発明の一実施の形態による撮像フレームレート変更処理例を示すフローチャートである。
【図５】本発明の一実施の形態によるメニュー画面の表示例を示す説明図である。
【図６】従来の撮像フレームレート変更処理例を示すフローチャートである。
【図７】従来のメニュー画面の表示例を示す説明図である。
【符号の説明】
【００５５】
１００…撮像装置、１０３…撮像部、１０９…ビューファインダ、１１０…表示部、１４０…操作部、１４３…撮像フレームレート変更つまみ、１４３ａ…つまみ部、１４３ｂ…インジケータ、１５０…制御部
【図１】
2008301451.tif 000003
【図２】
2008301451.tif 000004
【図３】
2008301451.tif 000005
【図４】
2008301451.tif 000006
【図５】
2008301451.tif 000007
【図６】
2008301451.tif 000008
【図７】
2008301451.tif 000009